(57)【要約】【課題】同サイズの従来品よりも、実質的な投影可能領域を拡大することができるタッチパネルセンサ用基板と、それを用いたインタラクティブスクリーン及び電子黒板を提供すること。【解決手段】背面側支持板３と、タッチパネルセンサ用基板１と、フロントプロジェクション用の反射スクリーン２と、が、積層されてなる、インタラクティブスクリーン１０であって、タッチパネルセンサ用基板１は、可撓性を有する支持基板に、座標検出電極群と該座標検出電極群の端部から延出する座標情報取り出し配線部とが形成されているフレキシブル配線基板によって構成されていて、タッチパネルセンサ用基板１の端部寄りの一部であって、座標情報取り出し配線部が形成されている部分の少なくとも一部が、非投影面側に向けて折り曲げられているインタラクティブスクリーンとする。【選択図】図２
2019179533.tif 000002
【特許請求の範囲】
【請求項１】
投影型静電容量方式のタッチパネルセンサ用基板であって、
可撓性を有する樹脂フィルムである一又は複数の支持基板と、
前記支持基板の一の表面上に平面視におけるＹ方向に沿って形成され並列に配置されている複数のＸ座標検出電極からなるＸ座標検出電極群と、
各々の前記Ｘ座標検出電極の端部から延出する複数の導電配線からなるＸ座標情報取り出し配線部と、
前記支持基板の他の表面上又は他の支持基板の一の表面上に平面視におけるＸ方向に沿って形成され並列に配置されている複数のＹ座標検出電極からなるＹ座標検出電極群と、
各々の前記Ｙ座標検出電極の端部から延出する複数の導電配線からなるＹ座標情報取り出し配線部と、を備え、
前記Ｘ座標情報取り出し配線部又はＹ座標情報取り出し配線部の少なくともいずれか一方には、有効投影領域の外側であって、尚且つ、前記導電配線が相互に平行に略等間隔で配置されている領域において、該導電配線の進行方向に直交する一の直線に沿って、導電配線の他の部分よりも折曲げが容易な一の部分である折曲げ補助部が形成されている、タッチパネルセンサ用基板。
【請求項２】
前記折曲げ補助部は、前記導電配線の他の部分よりも線幅が小さい部分である、請求項１に記載のタッチパネルセンサ用基板。
【請求項３】
前記Ｘ座標情報取り出し配線部及びＹ座標情報取り出し配線部の両方に、前記折曲げ補助部が形成されていて、
前記支持基板の角部の先端が矩形状に切り取られているか、或いは、角部頂点に切り込みが形成されている、請求項１又は２に記載のタッチパネルセンサ用基板。
【請求項４】
投影型静電容量方式のインタラクティブスクリーンであって、
背面側支持板と、
タッチパネルセンサ用基板と、
フロントプロジェクション用の反射スクリーンと、
が、積層されてなる、インタラクティブスクリーンであって、
前記タッチパネルセンサ用基板は、可撓性を有する支持基板に、座標検出電極群と該座標検出電極群の端部から延出する座標情報取り出し配線部とが形成されているフレキシブル配線基板によって構成されていて、
前記タッチパネルセンサ用基板の端部寄りの一部であって、前記座標情報取り出し配線部が形成されている部分の少なくとも一部が、非投影面側に向けて折り曲げられている、インタラクティブスクリーン。
【請求項５】
前記タッチパネルセンサ用基板が、請求項１から３のいずれかに記載のタッチパネルセンサ用基板であって、前記折曲げ補助部において該タッチパネルセンサ用基板が非投影面側に向けて折り曲げられているインタラクティブスクリーン。
【請求項６】
請求項４又は５に記載のインタラクティブスクリーンとフロントプロジェクション装置と、を備える電子黒板。
【発明の詳細な説明】
【技術分野】
【０００１】
本発明は、タッチパネルセンサ用基板、インタラクティブスクリーン、及びインタラクティブスクリーンを備える電子黒板に関する。
【背景技術】
【０００２】
近年、タッチパネルを搭載した表示装置が急速に普及している。ここで、タッチパネルとは、パネル表面への指示体の接触位置（タッチ位置）に係る位置情報を取得することができる入力装置である。
【０００３】
タッチパネルの主な位置検出方式は光学方式、抵抗膜方式、及び、静電容量方式に大別される。静電容量方式としては、表面型静電容量方式と投影型静電容量方式とがある。近年においては、上記の各検出方式のうち、特に、マルチタッチ、即ち、画像表示面の複数のタッチを同時に検出可能な投影型静電容量方式のタッチパネルの需要が拡大している。投影型静電容量方式のタッチパネルは、指先等が画像表示面に近づくと、その付近の電極の静電容量の変化を、表示面の背面側においてＸＹ方向に沿ってそれぞれ多数配列された一対の電極によって感知してタッチ位置をタッチパネル上の位置座標として検出するものである（特許文献１）。
【０００４】
尚、表示画面の背面側から光をあてて文字情報等を表示するタイプの各種のＬＥＤ表示装置に上記の静電容量方式のタッチパネルを搭載する場合には、表示画面の背面側の光源からの光の透光性を確保する必要上、表示画面の背後に配置するタッチパネルの位置検出用の電極をＩＴＯ等の透明導電材料や不可視認性を追求した極細線の導電材料とする必要があった。
【０００５】
又、タッチパネルを搭載した表示装置の画像表示面、即ち、タッチによる情報入力画面のサイズについては、スマートフォン等の軽量小型なものから、電子黒板等の大型の装置まで、様々なサイズのものがあり既にそれぞれ実用化されている。
【０００６】
マルチタッチが可能な投影型静電容量方式のタッチパネルを搭載した表示装置であって、尚且つ、画面サイズが大きな表示装置の一つに、近年、オフィスや学校等において急速に普及が拡大しているインタラクティブ（双方向）型の電子黒板がある。インタラクティブ（双方向）型の電子黒板とは、パーソナルコンピュータ等の情報処理装置から出力される文字や画像を画像表示面に投影するととともに、情報が表示されている画像表示面に手書き等で描画可能で、尚且つ、描画された文字や画像を情報処理装置に出力して処理することができる、双方向型の情報処理機能を備える画像表示装置である（特許文献２参照）。
【０００７】
このインタラクティブ（双方向）型の電子黒板は、スマートフォン等よりも格段に大きな表示画面上でのマルチタッチ入力の検出が可能である。しかしながら、上述した通り、ＸＹ方向に沿ってそれぞれ多数配列された電極から延出する配線部を集束させるための配線集束領域を投影画面側の表面端部に確保することが必須であり、従来の電子黒板においては、この領域が、必然的に非投影領域となってしまい実質的な投影可能領域が狭まってしまうという制約があった。
【先行技術文献】
【特許文献】
【０００８】
【特許文献１】特開２０１７−６８８１９号公報
【特許文献２】特開２０１２−７３３６０号公報
【発明の概要】
【発明が解決しようとする課題】
【０００９】
本発明は、このような状況に鑑みてなされたものであり、フロントプロジェクションタイプのインタラクティブ型の電子黒板に好適に用いることができるタッチパネルセンサ用基板であって、同サイズの従来品よりも、実質的な投影可能領域を拡大することができるタッチパネルセンサ用基板と、それを用いたインタラクティブスクリーン及び電子黒板を提供することを目的とする。
【課題を解決するための手段】
【００１０】
本発明者らは、投影型静電容量方式のタッチパネルセンサ用基板をフレキシブル基板で構成して、座標検出電極の外側の領域を、非投影面側に折曲げることにより、上記課題を解決することができることを見出し、本発明を完成するに至った。具体的に本発明は以下のものを提供する。
【００１１】
（１）  投影型静電容量方式のタッチパネルセンサ用基板であって、可撓性を有する樹脂フィルムである一又は複数の支持基板と、前記支持基板の一の表面上に平面視におけるＹ方向に沿って形成され並列に配置されている複数のＸ座標検出電極からなるＸ座標検出電極群と、各々の前記Ｘ座標検出電極の端部から延出する複数の導電配線からなるＸ座標情報取り出し配線部と、前記支持基板の他の表面上又は他の支持基板の一の表面上に平面視におけるＸ方向に沿って形成され並列に配置されている複数のＹ座標検出電極からなるＹ座標検出電極群と、各々の前記Ｙ座標検出電極の端部から延出する複数の導電配線からなるＹ座標情報取り出し配線部と、を備え、前記Ｘ座標情報取り出し配線部又はＹ座標情報取り出し配線部の少なくともいずれか一方には、有効投影領域の外側であって、尚且つ、前記導電配線が相互に平行に略等間隔で配置されている領域において、該導電配線の進行方向に直交する一の直線に沿って、導電配線の他の部分よりも折曲げが容易な一の部分である折曲げ補助部が形成されている、タッチパネルセンサ用基板。
【００１２】
（１）のタッチパネルセンサ用基板によれば、投影型静電容量方式のインタラクティブスクリーンにおいて、投影面側の端部に一定範囲で不可避的に存在していた無効投影領域（タッチパネル機能による位置情報検出ができない領域）を有意に縮小することができる。これにより、インタラクティブスクリーン及びこれを用いた電子黒板の投影面内における投影有効領域（タッチパネル機能による位置情報検出ができる領域）の割合を有意に拡大することができる。
【００１３】
尚、本明細書における、上述のＸ方向及びＹ方向とは、任意のＸＹ平面上で互いに直交する２つの方向の組合せ示す概念であり、それぞれの絶対的な方向を特定する概念ではない。本明細書においては、本発明にかかるタッチパネルセンサ用基板やインタラクティブスクリーンにおけるそれぞれの表面形状が矩形状であることを想定して、その表面上の幅方向をＸ方向、高さ方向をＹ方向と規定して各部の構造を説明する。但し、この説明の前提となるＸＹ平面のＸ座標とＹ座標を単に入れ替えるだけで規定される物、即ち、一の対象物に対して、幅方向と高さ方向が単に入れ代わったに過ぎない他の対象物は、本明細書においては、相互に同一物である。又、本明細書において「可撓性を有する」とは、「曲率半径を１ｍ以下にして曲げることが可能であること」を言うものとする。
【００１４】
（２）  前記折曲げ補助部は、前記導電配線の他の部分よりも線幅が小さい部分である、（１）に記載のタッチパネルセンサ用基板。
【００１５】
（２）のタッチパネルセンサ用基板は、導電配線の一部に構成する折曲げ補助部を、当該部分の線幅を他の部分よりも小さくすることによって形成した。これによれば、精密な加工が容易で加工状態についても目視による確認が可能な構造により、（１）のタッチパネルセンサ用基板の奏しうる上記効果を、高い確度で享受することができる。
【００１６】
（３）  前記Ｘ座標情報取り出し配線部及びＹ座標情報取り出し配線部の両方に、前記折曲げ補助部が形成されていて、前記支持基板の角部の先端が矩形状に切り取られているか、或いは、角部頂点に切り込みが形成されている、（１）又は（２）に記載のタッチパネルセンサ用基板。
【００１７】
（３）のタッチパネルセンサ用基板を用いることにより、当該達パネルセンサ用基板の幅方向高さ方向両方の側辺近傍の端部を、非投影面側に容易に折曲げることができる。これにより、タッチパネルセンサ用基板を用いたインタラクティブスクリーンの幅方向と高さ方向の両方向において、無効投影領域を容易に縮小することができる。
【００１８】
（４）  投影型静電容量方式のインタラクティブスクリーンであって、背面側支持板とタッチパネルセンサ用基板と、フロントプロジェクション用の反射スクリーンと、が、積層されてなる、インタラクティブスクリーンであって、前記タッチパネルセンサ用基板は、可撓性を有する支持基板に、座標検出電極群と該座標検出電極群の端部から延出する座標情報取り出し配線部とが形成されているフレキシブル配線基板によって構成されていて、前記タッチパネルセンサ用基板の端部寄りの一部であって、前記座標情報取り出し配線部が形成されている部分の少なくとも一部が、背面側支持板の側辺に沿って非投影面側に向けて折り曲げられている、インタラクティブスクリーン。
【００１９】
（４）のインタラクティブスクリーンによれば、投影型静電容量方式のインタラクティブスクリーンにおいて、投影面側の端部に一定範囲で不可避的に存在していた無効投影領域（タッチパネル機能による位置情報検出ができない領域）を有意に縮小することができる。これにより、このインタラクティブスクリーンを用いた電子黒板の投影面内における投影有効領域（タッチパネル機能による位置情報検出ができる領域）の割合を有意に拡大することができる。
【００２０】
（５）  前記タッチパネルセンサ用基板が、（１）から（３）のいずれかに記載のタッチパネルセンサ用基板であって、前記折曲げ補助部において該タッチパネルセンサ用基板が非投影面側に向けて折り曲げられているインタラクティブスクリーン。
【００２１】
（５）のインタラクティブスクリーンに用いるタッチパネルセンサ用基板を、本発明のインタラクティブスクリーン用に特化した構造をそれぞれ備える、（１）から（３）のいずれかに記載のタッチパネルセンサ用基板とすることで、それぞれの構造により可能となる上記の各効果を享受して、生産性、意匠性、画面表示品位を更に向上させることができる。
【００２２】
（６）  （４）又は（５）に記載のインタラクティブスクリーンとフロントプロジェクション装置と、を備えてなる電子黒板。
【００２３】
（６）の発明においては、（４）又は（５）のいずれかに記載のインタラクティブスクリーンを搭載した電子黒板とした。これにより、（４）又は（５）のインタラクティブスクリーンの奏する上記の各効果を享受して、生産性、意匠性、画面表示品位に優れる電子黒板を得ることができる。
【発明の効果】
【００２４】
本発明によれば、フロントプロジェクションタイプのインタラクティブ型の電子黒板に好適に用いることができるタッチパネルセンサ用基板であって、同サイズの従来品よりも、実質的な投影可能領域である有効投影領域を大きくすることができるタッチパネルセンサ用基板と、それを用いたインタラクティブスクリーン及び電子黒板を提供することができる。
【図面の簡単な説明】
【００２５】
【図１】本発明のタッチパネルセンサ用基板の層構成を模式的に示す分解斜視図である。
【図２】本発明のタッチパネルセンサ用基板の部分拡大平面図であって、Ｘ座標検出電極及びＸ座標情報取り出し配線部の平面構成を模式的に示す図である。
【図３】本発明のタッチパネルセンサ用基板の部分拡大平面図であって、Ｙ座標検出電極及びＹ座標情報取り出し配線部の平面構成を模式的に示す図である。
【図４】本発明のタッチパネルセンサ用基板を用いてなるインタラクティブスクリーンの層構成を模式的に示す断面図である。
【図５】本発明のタッチパネルセンサ用基板のＹ座標情報取り出し配線部の部分拡大平面図である。
【図６】本発明のタッチパネルセンサ用基板の他の実施形態における角部の構成の説明に供する部分拡大平面図である。
【図７】本発明のタッチパネルセンサ用基板の更なる他の実施形態における角部の構成の説明に供する部分拡大平面図である。
【図８】本発明のタッチパネルセンサ用基板の有効投影領域と従来のタッチパネルセンサ用基板の有効投影領域との差異の説明に供する、各基板の平面図である。
【図９】本発明のタッチパネルセンサ用基板を用いてなるインタラクティブスクリーンを備える電子黒板の斜視図である。
【発明を実施するための形態】
【００２６】
以下、先ず初めに、本発明のタッチパネルセンサ用基板を用いて構成することができるインタラクティブスクリーンと、そのインタラクティブスクリーンを備えてなる電子黒板の全体構成について説明する。それに引き続き、本発明のタッチパネルセンサ用基板、及び、それを構成する各部材の詳細について説明する。本発明は、以下の実施形態に限定されず、本発明の目的の範囲内において、適宜変更を加えて実施することができる。
【００２７】
＜インタラクティブスクリーンを備える電子黒板＞
図９は、本発明にかかる電子黒板１００の構成を示す斜視図である。電子黒板１００は、本発明にかかるインタラクティブスクリーン１０と、フロントプロジェクション装置４とを含んで構成される。インタラクティブスクリーン１０は、本発明にかかるタッチパネルセンサ用基板１を用いて構成され、タッチパネル方式による情報処理機能とフロントプロジェクション方式による画像表示機能とを併せ持つ。尚、電子黒板１００は、必要に応じてパーソナルコンピュータ等の情報処理装置を制御部（図示せず）として更に備えるものであってもよい。
【００２８】
タッチパネルセンサ用基板１を用いてなるインタラクティブスクリーン１０は、最終製品である電子黒板等に組込まれた段階において、画像表示面側の全表面における実質的な投影可能領域の割合が従来品よりも拡大されていることを主たる特徴とする。このような特徴を有するインタラクティブスクリーン１０を用いて電子黒板１００を構成することにより、画面サイズが１５インチ（対角線の長さ、以下同じ）の小型のものから同サイズが１００インチ程度の大型のものまで、画像表示品位や意匠性に優れた様々なサイズの電子黒板を構成することができる。インタラクティブスクリーン１０及びタッチパネルセンサ用基板１の詳細については後述する。
【００２９】
フロントプロジェクション装置４は、インタラクティブスクリーン１０に対して反射スクリーン２の画像表示面の斜め上方等から映像光を投射する光源部である。フロントプロジェクション装置４としては、汎用の映写装置を適宜用いることもできる。例えば、ＤＬＰ、ＬＣＤ方式等の光源装置を用いてもよいし、映写装置としての機能を有するデジタルカメラ等を用いてもよく、使用目的や使用環境に応じて適宜選択することができる。
【００３０】
そして、このフロントプロジェクション装置４は、図９に示すように、電子黒板のフレーム部等からインタラクティブスクリーン１０の画像表示面側に伸びるように設けられた取り付け部に設置された形態であってもよいし、或いは、インタラクティブスクリーン１０とは別体とした形態であってもよい。後者の具体例として、室内の天井等に適宜取り付けたられた形態や、適切な投射が可能な態様での床面への平置き等を挙げることができる。尚、フロントプロジェクション装置４の設置位置は、投射された映像光を略正面方向に反射することを想定した場合に、反射光と干渉しない位置であればよく、必ずしも上記で例示した斜め上方への設置に限定されるものではない。
【００３１】
インタラクティブスクリーン１０への情報の入力は、画像表示面として、その投影面側に配置される反射スクリーン２の表面にタッチペン、導電性インキを用いたマーカー、或いは、指等で触れることによって行うことができる。画像表示面上へのタッチ位置の検出は、インタラクティブスクリーン１０において反射スクリーン２の背面側に設置されているタッチパネルセンサ用基板１によって行われる。タッチパネルセンサ用基板１の詳細については後述する。
【００３２】
パーソナルコンピュータ等で構成される電子黒板１００の制御部（図示せず）は、インタラクティブスクリーン１０に表示する画像情報等のフロントプロジェクション装置４への出力と、タッチパネルセンサ用基板１からの検出信号に基づいて、入力者がタッチした画像表示面上の座標位置を情報として判定することができる機能を備えるものであればよい。又、入力された情報をデータ化したり、又、取り込んだ情報を含む映像を出力したりする機能を備えるものであることが好ましい。上記の制御部は、具体的には、パーソナルコンピュータや位置検出用のコントローラＩＣ基板等により構成される。
【００３３】
本発明に係るインタラクティブスクリーン１０を備える電子黒板１００は、以上の構成により、パーソナルコンピュータ等の制御装置から出力される情報をフロントプロジェクション装置４がインタラクティブスクリーン１０の画像表示面へ映像光として投射し、インタラクティブスクリーン１０の画像表示面にこれに応じた映像が表示される。又、タッチパネルセンサ用基板１は、使用者によって接触された画像表示面の座標位置を検出して、位置情報としてパーソナルコンピュータ等の制御部にその情報を出力することができる。
【００３４】
＜インタラクティブスクリーン＞
インタラクティブスクリーン１０は、剛性を有する平板状の部材である背面側支持板３、投影型静電容量方式のタッチパネルセンサ用基板であるタッチパネルセンサ用基板１、反射スクリーン２が、この順で積層されてなる情報処理及び画像表示デバイスであり、文字や画像等の情報の入力及び出力が可能な双方向型の情報処理及び画像表示デバイスである。インタラクティブスクリーン１０は、これらの機能を補助するために、或いは、これらの機能を阻害しない範囲で他の機能を付与するために、他の部材がいずれかの層間に更に配置されているものであってもよい。
【００３５】
［インタラクティブスクリーンの有効投影領域について］
インタラクティブスクリーン１０は、タッチパネル方式での情報処理機能を担保するためのタッチパネルセンサ用基板が可撓性を有するフレキシブル配線基板であるタッチパネルセンサ用基板１によって構成されている。そして、タッチパネルセンサ用基板１の端部寄りの一部が、非投影面側に向けて折り曲げられている（図４参照）。そして、この構成により、従来品よりも投影面側における有効投影領域の割合が拡大されている（図８参照）ことを特徴とする（図８参照）。本明細書におけるインタラクティブスクリーンの「有効投影領域」とは、当該インタラクティブスクリーンの画像投影面側の表面のうちタッチパネル方式により当該画像投影面に接触した利用者の指やスタイラスペン等、所定範囲の対象物の接触位置の座標情報を取得することが可能な範囲のことを言うものとする。
【００３６】
ここで、図８は従来の一般的構成からなるインタラクティブスクリーン２０と、本発明のインタラクティブスクリーン１０との投影面側における有効投影領域の割合の差異を示す図である。先ず、静電容量方式のタッチパネルセンサ用基板全般においては、Ｘ、Ｙ両方向の位置座標情報を検出するために平面視においてマトリクス状に配置される座標検出電極群において検出した電気信号としての位置情報を、しかるべき情報処理手段に接続するためのＸ座標情報取り出し配線部及びＹ座標情報取り出し配線部を取り回すための領域として、タッチパネル機能による位置情報検出ができない領域（無効投影領域）が投影面側の端部に一定範囲で不可避的に存在した。
【００３７】
具体的な例として、インタラクティブスクリーン２０においては、Ｙ座標情報取り出し配線部１１２、１１３が形成されている幅ｘ２の部分が無効投影領域となっており、結果として有効投影領域ｂの幅はｗ２となっていた。これに対して、本発明のインタラクティブスクリーン１０においては、タッチパネルセンサ用基板１の可撓性を活かして、従来のインタラクティブスクリーン２０における上述のタッチパネル機能が発揮されない領域（無効投影領域）の一部、或いは略全部が非投影面側に向けて折り曲げられている。そして、これにより、インタラクティブスクリーン１０においては、無効投影領域の幅はｘ２からｘ１にまで縮小されている。又、有効投影領域ｂの高さｈ２についても、同様に、タッチパネルセンサ用基板１が折曲げられることにより、無効投影領域の高さはｈ２からｈ１にまで縮小されている。このようにして、インタラクティブスクリーン１０の有効投影領域ａは、インタラクティブスクリーン２０の有効投影領域ｂよりも拡大されている。
【００３８】
ここで、例えば、Ｙ座標情報取り出し配線部１２２が形成されている幅ｘ２の部分内の任意の位置で、タッチパネルセンサ用基板１は折曲げることができるが、この折曲げ位置は、無効投影領域をできるだけ少なくするために、可能な限り、有効投影領域の外縁に近い位置であることが好ましい。又、この折曲げ位置が、少なくとも、Ｙ座標情報取り出し配線部１１２を構成する各導電配線１１３が相互に平行に配置されている領域、即ち、それらが密に束ねられる集束点よりも、有効投影領域寄りの領域内にあることが好ましい。導電配線１１３が等間隔で存在するこのような領域を折曲げ位置とすることにより、折曲げ時の折り曲げ抵抗を低減することができるからである。最適な折曲げ位置について、Ｘ座標情報取り出し配線部１１２が形成されている幅ｙ２の部分内における折曲げについても同様である。
【００３９】
尚、上記態様でのタッチパネルセンサ用基板１の折曲げ時に、反射スクリーン２は、図４に示すように、タッチパネルセンサ用基板１に密着させた状態でこれに追随させて同様に折曲げてもよいし、或いは、図４において側面に折曲げられていて、投影面とはなりえない部分を切断削除してもよい。
【００４０】
このように、インタラクティブスクリーン１０は、タッチパネルセンサ用基板１の可撓性を活かして、電気信号として取得した座標情報を取り出すために必要な配線の取り回しのために投影面側に不可避的に存在していた無効投影領域の少なくとも一部を非投影面側に向けて折曲げることにより、投影面全体の中での有効投影領域ａの割合を、装置全体としては同サイズの従来品であるインタラクティブスクリーン２０の有効投影領域ｂよりも拡大することができる。
【００４１】
［タッチパネルセンサ用基板］
インタラクティブスクリーン１０を構成するタッチパネルセンサ用基板１は、投影型静電容量方式を採用したものである。この投影型静電容量方式のタッチパネルセンサ用基板においては、指先が近づくとその付近（タッチ位置）の電極の静電容量の変化を、所定の距離で離間して対面配置されている一対の電極群、即ちＸ座標検出電極群及びＹ座標検出電極群によって検出する。そして、この検出された情報に基づいて、タッチパネルセンサ用基板上のタッチ位置の位置座標を特定することができる。この投影型静電容量方式のタッチパネルセンサ用基板は、指先の多点検出、所謂マルチタッチが可能なタッチパネルを構成することができる。
【００４２】
タッチパネルセンサ用基板１は、一般的な黒板の平面形状がそうである通り、平面視した形状が長方形であることが一般的であるが、必ずしも平面形状がこのような長方形に限定されるものではなく、例えば、需要に応じてその平面形状が、正方形、円形、楕円形、多角形等の他の形状であってもよい。
【００４３】
尚、本発明にかかるタッチパネルセンサ用基板は、上述の通り、インタラクティブスクリーン１０に組込まれるときには、その端部の一部が折曲げられて用いることが想定されている。このために、タッチパネルセンサ用基板１は、そのような折曲げが可能な程度の可撓性を有するフレキシブル配線基板を用いて構成される。以下に説明するタッチパネルセンサ用基板１はこの要件を満たすものであり、インタラクティブスクリーン１０を構成するために好ましく用いることができるものである。
【００４４】
但し、基板端部の折曲げ想定部分が、より折曲げやすい形状又は構造とされている「折曲げ補助部」が付与されているタッチパネルセンサ用基板を、本発明にかかるインタラクティブスクリーンにより好ましく用いることができる。このような、本発明にかかるインタラクティブスクリーン用途に特化した「折曲げ補助部を有するタッチパネルセンサ用基板」の形状及び構造の詳細については後段において別途説明する。
【００４５】
（Ｘ座標検出電極群及びＹ座標検出電極群）
図１、図２及び図３に示す通り、タッチパネルセンサ用基板１には、投影型静電容量方式のタッチパネルセンサ用基板としての機能を発揮するために、Ｘ座標検出電極群１１１とＹ座標検出電極群１２１とがそれぞれ垂直方向に離間して対面配置されている。Ｘ座標検出電極群１１１とＹ座標検出電極群１２１とは、図２又は図３に示す通り、別途の支持基板１１４と、支持基板１２４とに、それぞれ積層されていてもよい。或いは、Ｘ座標検出電極群１１１とＹ座標検出電極群１２１とは、１枚の支持基板の両面にそれぞれ各電極群が形成されている構成とすることもできる。いずれにしても、Ｘ座標検出電極群１１１とＹ座標検出電極群１２１とは、電気的に絶縁された状態で、且つ、平面視上の構成としては全体としてマトリックス状の配置となるように形成される。
【００４６】
上記の各電極群は、並列配置される複数の帯状の電極によって構成される。図２に示す通り、Ｘ座標検出電極群１１１は、平面視におけるＹ方向に沿って支持基板１１４の表面上に形成されている複数のＸ座標検出電極１１が並列に配置されて形成されている。又、Ｙ座標検出電極群１２１についても同様であり、平面視におけるＸ方向に沿って支持基板１２４の表面上に形成されている複数のＹ座標検出電極１１が並列に配置されて形成されている。これらの各電極群は、電極の静電容量の変化が、Ｘ座標検出電極群１１１及びＹ座標検出電極群１２１のそれぞれの中でどの電極であるかを、各電極群毎に独立に検出し、その交点から位置を算出することができる。
【００４７】
Ｘ座標検出電極群１１１とＹ座標検出電極群１２１は、垂直方向において離間配置されていて、尚且つ、Ｘ座標検出電極群１１１とＹ座標検出電極群１２１が、平面透視において、電極群全体としてマトリクス状のセンサ面を形成するものであればよい。このために、各電極群を構成するそれぞれの電極の連接方向、即ち電流が流れる方向については、平面透視において相互に直交する配置となる。
【００４８】
又、Ｘ座標検出電極群１１１とＹ座標検出電極群１２１の平面形状については、図２に示すようにそれぞれが帯状の行、又は列電極で構成されていてもよいし、或いは、図３や図４に示すように、複数のひし形の電極パッドが連接されてなる行、又は列電極で構成されていてもよい。或いは、これらの電極パッドはひし形以外の各種の多角形、楕円形、円形であってもよい。
【００４９】
各電極群を構成する、Ｘ座標検出電極１１及びＹ座標検出電極１２を形成する導電性材料としては、銅、アルミニウム、金、銀、等の金属材料を挙げることができる。これらの中でも、高い導電性と材料コストとのバランスから、銅を、特に好ましく用いることができる。更に、その中でも、耐屈曲性に優れる圧延銅をより好ましく用いることができる。又、これらのＸ座標検出電極１１及びＹ座標検出電極１２の各座標検出電極の厚さは、タッチパネルセンサ用基板１に要求される耐電流の大きさ等に応じて適宜設定すればよい。
【００５０】
（支持基板）
タッチパネルセンサ用基板１の支持基板１１４、１２４としては、絶縁性材料で形成される基板であって、可撓性を有する各種の樹脂フィルムをいることができる。
【００５１】
支持基板１１４、１２４を構成する、可撓性を有する樹脂フィルムとしては、汎用性が高く、入手が容易なポリエチレンテレフタレート（ＰＥＴ）等、公知の樹脂フィルムを適宜用いることができる。例えば、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択される１種を好適に用いることができる。
【００５２】
支持基板１１４及び１２４の厚さは、十分な絶縁性を有するものであること、及び、製造コストのバランスとの観点から、その材料に応じて適宜決定すればよい。一般には２０μｍ以上５００μｍ以下の範囲内であることが好ましい。２０μｍ未満であると、機械的強度が不十分となりやすく、一方、５００μｍを超えると、高分子フィルム特有のしなやかさが低下し、本発明のインタラクティブスクリーン１０において必須の要求である折曲げ容易性が不足するおそれが生じる。
【００５３】
タッチパネルセンサ用基板１においては、支持基板１１４、１２４の透光性は必須の要件ではない。但し、製造過程における各基板や電極の形成位置の位置合わせの精度を高めやすくするため等、生産性を高める観点において、フィルムの背面側の状態が表面側から視認可能な程度の透光性を有するものであることが好ましい。
【００５４】
尚、タッチパネルセンサ用基板１には、上述の各支持基板及び各電極群に加えて、最終製品に要求される様々な機能や性能水準を保持するために必要な任意の機能層が更に積層されているものであってもよい。このような機能層としては、例えば、ハードコート層、帯電防止層、防眩層、防汚層、反射防止層、高誘電体層、電磁波遮蔽層、接着剤層等が挙げられる。
【００５５】
［反射スクリーン］
インタラクティブスクリーン１０を構成する反射スクリーン２は、映像を投影する機能に加えて、その表面に筆記等を行いやすい平滑性を有するものであることが求められる。又、反射スクリーン２は、併せて、当該表面（画像表示面）を傷等から保護する耐傷性と、室内の照明等の反射や映り込み等を低減する防眩機能とを十分に備えるものであることが好ましい。本発明のインタラクティブスクリーンはそのような要求を、それぞれの使用状況に応じた要求水準に応えうるものであれば既存の各種スクリーンを適宜用いることができる。例えば、上記の「特許文献２」に開示されている「インタラクティブボード用の反射スクリーン」を本発明のインタラクティブスクリーンに用いることができる反射スクリーンの好ましい具体例として挙げることができる。
【００５６】
尚、反射スクリーン２は、一例として、その表面が、算術平均粗さＲａ（ＪＩＳ  Ｂ０６０１−２００１）１３６ｎｍ、最大高さＲｚ（ＪＩＳ  Ｂ０６０１−２００１）４５３ｎｍ程度であるものを好ましく用いることができる。この程度の表面粗さであることにより、情報入力面として上述の筆記性を妨げることなく、尚且つ、画像表示面としての防眩機能を発揮させることができる。
【００５７】
［背面側支持材］
インタラクティブスクリーン１０の背面側（非画像表示面側）に配置される背面側支持材３は、一定以上の剛性を有する板状の部材であれば、樹脂製や、或いは金属性の板材を適宜用いることができる。一定以上の剛性とは、電子黒板１００の使用時において、フレキシブル配線基板であるタッチパネルセンサ用基板１を介して、インタラクティブスクリーン１０の投影面側に配置される反射スクリーン２の投影面となる反射スクリーン２の表面の平坦さを、電子黒板１００の使用時において安定して保持することができる程度の剛性である。背面側支持材３としては、例えば、川上産業社製プラパールや岐阜プラスチック社製テクセル、福田金属箔粉工業株式会社製カラーエースや等を好ましく用いることができる。
【００５８】
尚、バインダー樹脂にフェライト等の磁性体を添加してなるマグネットシートを、更に背面側支持材３背面側の最外層に積層したものも好ましく用いることができる。これにより、インタラクティブスクリーンの設置場所を自立させる筐体を必要とせず、黒板等の壁面に設置することができる。
【００５９】
＜折曲げ補助部を有するタッチパネルセンサ用基板＞
上述の通り、本発明のインタラクティブスクリーンは、その端部を折曲げた状態において配線基板としての機能を発揮しうるフレキシブル配線基板型のタッチパネルセンサ用基板を用いることによって構成することができる。但し、本発明特有の「折曲げ補助部」を有するタッチパネルセンサ用基板を用いることにより、更に好ましい態様でインタラクティブスクリーン及び電子黒板を構成することができる。以下、本発明にかかるインタラクティブスクリーン用として、特段に好ましく用いることができる、「折曲げ補助部を有するタッチパネルセンサ用基板」の詳細について説明する。
【００６０】
折曲げ補助部を有するタッチパネルセンサ用基板であるタッチパネルセンサ用基板１は、上記において説明したタッチパネルセンサ用基板１と同じく投影型静電容量方式のタッチパネルセンサ用基板である。又、この折曲げ補助部を有するタッチパネルセンサ用基板１は、可撓性を有する支持基板１１４、１２４、と、それらの各表面に形成されているＸ座標検出電極群１１１とＹ座標検出電極群１２１に関する平面視上の基本構成及び積層体としての基本的な層構成について、必須とする要件や好ましい要件について、先に説明したタッチパネルセンサ用基板１と異なるところはない。
【００６１】
但し、折曲げ補助部を有するタッチパネルセンサ用基板１は、Ｘ座標検出電極１１１及びＹ座標検出電極群１２１のそれぞれの端部から延出する複数の導電配線１１３、１２３からなるＸ座標情報取り出し配線部１１２又はＹ座標情報取り出し配線部１２２の少なくともいずれか一方に、他の部分よりも折曲げが容易な加工が施されてなる折曲げ補助部が、形成されている点において上述のタッチパネルセンサ用基板１とは異なる。
【００６２】
この折曲げ補助部は、Ｘ座標情報取り出し配線部１１２又はＹ座標情報取り出し配線部１２２を構成する各導電配線１１３、１２３に対して、有効投影領域の外側の領域であって、これらの導電配線が相互に平行に配置されている領域において、これらの導電配線の進行方向に直交する一の直線に沿って形成されることが好ましい。通常、各々の導電配線は、有効投影領域の外側のいずれかの位置において物理的に一纏めに束ねられるが、上記の折曲げ補助部の形成位置は、少なくとも、この導電配線の収束位置よりも、有効投影領域寄りの内側の領域であることが好ましい。
【００６３】
この折曲げ補助部は、特定の形状や構造のものに限定されない。導電配線１１３、１２１３本来の機能を損なわない範囲で折曲げを容易にすることができる形状若しくは構造とされていればよい。このような折曲げ補助部の好ましい具体例として、図５に示す折曲げ補助部１１５、１２５を挙げることができる。これらの折曲げ補助部１１５、１２５は、タッチパネルセンサ用基板１の折曲げ位置として想定される直線上において、図５に示すように、各導電配線の一部を他の部分よりも線幅が小さい部分とすることによって形成することができる。このような折曲げ補助部１１５、１２５は、折曲げ補助部を有するタッチパネルセンサ用基板１を、図４に示すように、背面側支持材３の側面に沿ってインタラクティブスクリーン１０の非投影面側に向けて折り曲げるときに、これらの折り曲げ補助部１１５、１２５が、Ｘ座標情報取り出し配線部１１２又はＹ座標情報取り出し配線部１２２を構成する各導電配線の上述した適切な位置に形成されていることにより、折曲げ補助部を有するタッチパネルセンサ用基板１の当該位置における折り曲げ容易性が向上する。そして、これにより、インタラクティブスクリーン１０及び電子黒板１００の生産がより容易となり、投影面側の意匠性が向上し、更に、画面表示品位の向上にも寄与することができる。
【００６４】
折り曲げ補助部１１５、１２５の形状は、その線幅が導電配線の可撓性に影響を及ぼす程度に他の部分よりも幅が小さければよく、必要とされる導電性、導電配線の材料や厚み等により、適宜調整可能で、特段その形状は限定されない。一例としては、厚さ３５μｍ、幅０．１２０ｍｍの銅箔からなる導電配線の折り曲げ線となる直線上に最も幅狭な部分の幅が０．０８ｍｍである折り曲げ補助部１１５、１２５が形成されている例を、好ましい実施形態の一例として挙げることができる。
【００６５】
折曲げ補助部を、Ｘ座標情報取り出し配線部１１２及びＹ座標情報取り出し配線部１２２の両方に形成することにより、折曲げ補助部を有するタッチパネルセンサ用基板１は、上記の両方の配線部を含む部分を非投影面側に容易に折曲げることができる。ただし、Ｘ座標情報取り出し配線部１１２を含む領域とＹ座標情報取り出し配線部１２２を含む領域の両方を折曲げる場合は、図６に示すように、支持基板１１４、１２４の角部に、折曲げ線ｆ１及びｆ２の位置に対応させて、角部の先端が矩形状に切り取られている切り欠き部１１６、或いは、スリット１１７が形成されていることが好ましい。これにより、折曲げ補助部を有するタッチパネルセンサ用基板１を用いたインタラクティブスクリーンにおいて、幅方向と高さ方向の両方向における無効投影領域を縮小することができる。
【００６６】
尚、タッチパネルセンサ用基板１を用いたインタラクティブスクリーン１０においては、非投影面側に折曲げたタッチパネルセンサ用基板１を、折曲げた部分からの先の形状を適宜調整して、そのまま付随する制御装置、情報処理装置に接合できる位置まで延伸し、これを、フレキシブルプリントケーブルとして機能させることにより、インタラクティブスクリーンや電子黒板を構成することもできる。
【符号の説明】
【００６７】
１                  タッチパネルセンサ用基板
１１                Ｘ座標検出電極
１１１              Ｘ座標検出電極群
１１２              Ｘ座標情報取り出し配線部
１１３、１２３      導電配線
１１４、１２４      支持基板
１１５、１２５      折曲げ補助部
１１６              切り欠き部
１１７              スリット
１２                Ｙ座標検出電極
１２１              Ｙ座標検出電極群
１２２              Ｙ座標情報取り出し配線部
２                  反射スクリーン
１０                インタラクティブスクリーン
３                  背面側支持板
４                  フロントプロジェクション装置
１００              電子黒板
【図１】
2019179533.tif 000003
【図２】
2019179533.tif 000004
【図３】
2019179533.tif 000005
【図４】
2019179533.tif 000006
【図５】
2019179533.tif 000007
【図６】
2019179533.tif 000008
【図７】
2019179533.tif 000009
【図８】
2019179533.tif 000010
【図９】
2019179533.tif 000011